(57)【要約】【課題】球検出器と判定器の間での断線等により判定器が誤って球通過と検出することを防止する。【解決手段】遊技球通過検出装置が、遊技球通過部材内に配設され、常には高電位信号を出力し、遊技球が通過するときに低電位信号を出力する球検出器１１０と、この球検出器１１０から出力される電位信号を受けて遊技球の通過の有無を判定する判定器１３１と、球検出器の出力端子部と判定器１３１の入力端子部とを接続して電位信号を伝送する信号ライン１０２，１０４と、第1抵抗１１５を介して信号ライン１０２を接地接続させる接地ライン１１６と、第1抵抗よりも十分に大きな抵抗値を有した第２抵抗１３６を介して電源と信号ライン１０４とを接続する電源供給ライン１３７とを備える。その上で、電源供給ラインが判定器に近接する位置において信号ラインに接続され、接地ラインが球検出器に近接する位置において信号ラインに接続されている。【選択図】図１
2007260049.tif 000002
【特許請求の範囲】
【請求項１】
遊技盤の前面に形成された遊技領域内に遊技球を発射し、遊技領域内における入賞具等へ遊技球を入れる遊技を行う弾球遊技機において、遊技球の通過を検出する遊技球通過検出装置であって、
遊技球を通過させる通過部材内に配設され、常には電源からの高電位信号を出力し、前記通過部材内を遊技球が通過するときに前記電源からの電圧を低下させて低電位信号を出力する球検出器と、
前記球検出器から出力される電位信号を受けて、前記通過部材の遊技球の通過の有無を判定する判定器と、
前記球検出器の電位信号の出力端子部と前記判定器の電位信号の入力端子部とを接続して、前記球検出器から出力される前記電位信号を前記判定器に伝送する信号ラインと、
所定の電気抵抗値を有した第1抵抗を介して前記信号ラインを接地接続させる接地ラインと、
前記第1抵抗よりも十分に大きな抵抗値を有した第２抵抗を介して電源と前記信号ラインとを接続する電源供給ラインとを備えて構成され、
前記電源供給ラインが前記信号ラインにおける前記判定器に近接する位置において前記信号ラインに接続され、前記接地ラインが前記信号ラインにおける前記球検出器に近接する位置において前記信号ラインに接続されていることを特徴とする弾球遊技機の遊技球通過検出装置。
【請求項２】
前記信号ラインが中間部においてコネクタ接続されており、前記電源供給ラインが前記コネクタ接続部より前記判定器側において前記信号ラインに接続され、前記接地ラインが前記コネクタ接続部より前記球検出器側において前記信号ラインに接続されていることを特徴とする請求項１に記載の弾球遊技機の遊技球通過検出装置。
【請求項３】
前記信号ラインの中間に中継基板が設けられ、前記信号ラインが前記球検出器と前記中継基板を繋ぐ第1信号ラインと、前記中継基板と前記判定器とを繋ぐ第２信号ラインとから構成され、
前記電源供給ラインが前記第２信号ラインに接続され、前記接地ラインが前記第1信号ラインに接続されていることを特徴とする請求項１に記載の弾球遊技機の遊技球通過検出装置。
【請求項４】
遊技盤の前面に形成された遊技領域内に遊技球を発射し、遊技領域内における入賞具等へ遊技球を入れる遊技を行う弾球遊技機において、遊技球の通過を検出する遊技球通過検出装置であって、
遊技球を通過させる通過部材内に配設され、常には出力端子部を接地接続させて低電位信号を出力し、前記通過部材内を遊技球が通過するときに前記出力端子部に繋がる電源からの高電位信号を出力させる球検出器と、
前記球検出器から出力される電位信号を受けて、前記通過部材の遊技球の通過の有無を判定する判定器と、
前記球検出器の電位信号の出力端子部と前記判定器の電位信号の入力端子部とを接続して、前記球検出器から出力される前記電位信号を前記判定器に伝送する信号ラインと、
所定の電気抵抗値を有した第1抵抗を介して前記信号ラインを接地接続させる接地ラインと、
電源と前記信号ラインとを接続する電源供給ラインとを備えて構成され、
前記電源供給ラインが前記信号ラインにおける前記球検出器に近接する位置において前記信号ラインに接続され、前記接地ラインが前記信号ラインにおける前記判定器に近接する位置において前記信号ラインに接続されていることを特徴とする弾球遊技機の遊技球通過検出装置。
【請求項５】
前記第２抵抗が前記球検出器に内蔵されていることを特徴とする請求項４に記載の弾球遊技機の遊技球通過検出装置。
【請求項６】
前記信号ラインが中間部においてコネクタ接続されており、前記電源供給ラインが前記コネクタ接続部より前記球検出器側において前記信号ラインに接続され、前記接地ラインが前記コネクタ接続部より前記判定器側において前記信号ラインに接続されていることを特徴とする請求項４に記載の弾球遊技機の遊技球通過検出装置。
【請求項７】
前記信号ラインの中間に中継基板が設けられ、前記信号ラインが前記球検出器と前記中継基板を繋ぐ第1信号ラインと、前記中継基板と前記判定器とを繋ぐ第２信号ラインとから構成され、
前記電源供給ラインが前記第１信号ラインに接続され、前記接地ラインが前記第２信号ラインに接続されていることを特徴とする請求項４に記載の弾球遊技機の遊技球通過検出装置。
【発明の詳細な説明】
【技術分野】
【０００１】
本発明は、パチンコ機に代表される弾球遊技機に関し、詳細には、遊技盤の前面に設けられた入賞具等での遊技球の通過を検出する遊技球通過検出装置に関する。
【背景技術】
【０００２】
パチンコ機は、遊技盤の前面側に区画形成された遊技領域内に発射装置により遊技球を発射供給して遊技領域内を落下移動させ、その落下移動の途中で遊技領域内に形成された入賞口に遊技球を入賞させ、これに応じて賞球を獲得する遊技に供される。例えば、遊技領域内に発射された遊技球が入賞口（一般入賞口や大入賞口等）に入ると、この入賞を検出して賞球払出装置を作動させる制御が行われ、賞球払出装置により所定数量の賞球が払い出される。
【０００３】
このため、パチンコ機には、遊技球の入賞を検出する球検出器と、検出器からの検出信号を受けて入賞の有無を判定する判定器とを有した遊技球通過検出装置が設けられており、判定器の判定結果に基づいて賞球払出装置の作動制御などが行われる。
【０００４】
従来の遊技球通過検出装置の一例を図９に示しており、この装置は、入賞具の入賞口に設けられる球検出器１１０を備える。球検出器１１０は電源供給ライン１０１を介して電源１００（例えば、＋１２Ｖの電圧を有する）に繋がるとともにその出力端子１１０ｂから第1信号ライン１０２が延びており、入賞口に入り込んだ遊技球が通過する球通過孔１１０ａを有している。球検出器１１０は、常には電源１００からの高電位信号を出力端子１１０ｂから第1信号ライン１０２に出力し、入賞口に入った遊技球が球通過孔１１０ａを通過するときに電源からの電圧を低下させて出力端子１１０ｂから第1信号ライン１０２に低電位信号を出力する。
【０００５】
第1信号ライン１０２は第1コネクタ１０３を介して中継基板１２０に繋がり、中継基板１２０内の内部信号ライン１２１から第２コネクタ１０５を介して第２信号ライン１０４に繋がる。第２信号ライン１０４は第３コネクタ１０６を介して主制御基板１０３内の判定器１３１に繋がる。なお、内部信号ライン１２１には第１抵抗１２２（例えば、抵抗値７５０Ω）を有して接地接続された接地ライン１２３が繋がり、さらに、抵抗１２６およびコンデンサ１２７からなる安定回路１２５を有している。
【０００６】
このように構成された遊技球検出装置において、球検出器１１０の球通過孔１１０ａを球が通過していない状態、すなわち常には、出力端子１１０ｂから高電位信号が出力される。この高電位信号は、第１抵抗１２２のために接地ライン１２３を介して若干の電圧低下はあるものの、第１および第２信号ライン１０２，１０４および内部信号ライン１２１を介して判定器１３１に伝送される。判定器１３１はこの高電位信号を受けている間は、球検出器１１０の球通過光１１０ａを球が通過していないと判断する。一方、球検出器１１０の球通過孔１１０ａを球が通過したときには、出力端子１１０ｂから低電位信号が出力され、これが判定器１３１に送られ、判定器１３１は球が通過したと判断する。なお、この球検出器１１０としては、例えば、特許文献１に開示のものがある。
【０００７】
【特許文献１】特開２００５−１７４７３１号公報
【発明の開示】
【発明が解決しようとする課題】
【０００８】
このように構成された遊技球検出装置において、第１もしくは第２コネクタ１０３，１０５が外れる等して、球検出器１１０の出力端子１１０ｂと主制御基板１３０の入力端子すなわち第３コネクタ１０６との間の信号ラインが断線した状態となると、判定器１３１には低電位信号しか入力されず、球検出器１１０が球通過を検出していないにも拘わらず、判定器１３１が球通過と誤って判定して、入賞制御を行うといったような不具合が発生する。特に、パチンコ機において中継基板は遊技機裏面側に配置されており、外部から第１もしくは第２コネクタ１０３，１０５に不正にアクセスして、これの着脱を行い、実際には入賞具への遊技球の入賞が無いのに、判定器１３１に入賞判断を行わせ、不正に賞球払出を行わせるという問題があることが判明した。
【０００９】
このような課題に鑑み、本発明は、球検出器と判定器の間での断線等が生じた場合でも、判定器が誤って球通過と検出するおそれのない遊技球通過検出装置を提供することを目的とする。
【課題を解決するための手段】
【００１０】
上記目的達成のため、第１の本発明においては、遊技盤の前面に形成された遊技領域内に遊技球を発射し、遊技領域内における入賞具等へ遊技球を入れる遊技を行う弾球遊技機において遊技球の通過を検出する遊技球通過検出装置が、遊技球を通過させる通過部材内に配設され、常には電源からの高電位信号を出力し、前記通過部材内を遊技球が通過するときに前記電源からの電圧を低下させて低電位信号を出力する球検出器と、前記球検出器から出力される電位信号を受けて、前記通過部材の遊技球の通過の有無を判定する判定器と、前記球検出器の電位信号の出力端子部と前記判定器の電位信号の入力端子部とを接続して、前記球検出器から出力される前記電位信号を前記判定器に伝送する信号ラインと、所定の電気抵抗値を有した第1抵抗を介して前記信号ラインを接地接続させる接地ラインと、前記第1抵抗よりも十分に大きな抵抗値を有した第２抵抗を介して電源と前記信号ラインとを接続する電源供給ラインとを備えて構成される。その上で、前記電源供給ラインが前記信号ラインにおける前記判定器に近接する位置において前記信号ラインに接続され、前記接地ラインが前記信号ラインにおける前記球検出器に近接する位置において前記信号ラインに接続されている。
【００１１】
なお、この遊技球通過検出装置において、前記信号ラインが中間部においてコネクタ接続されており、前記電源供給ラインが前記コネクタ接続部より前記判定器側において前記信号ラインに接続され、前記接地ラインが前記コネクタ接続部より前記球検出器側において前記信号ラインに接続されているのが好ましい。
【００１２】
また、前記信号ラインの中間に中継基板が設けられ、前記信号ラインが前記球検出器と前記中継基板を繋ぐ第1信号ラインと、前記中継基板と前記判定器とを繋ぐ第２信号ラインとから構成され、前記電源供給ラインが前記第２信号ラインに接続され、前記接地ラインが前記第1信号ラインに接続されていても良い。
【００１３】
また、第２の本発明においては、遊技盤の前面に形成された遊技領域内に遊技球を発射し、遊技領域内における入賞具等へ遊技球を入れる遊技を行う弾球遊技機において遊技球の通過を検出する遊技球通過検出装置が、遊技球を通過させる通過部材内に配設され、常には出力端子部を接地接続させて低電位信号を出力し、前記通過部材内を遊技球が通過するときに前記出力端子部に繋がる電源からの高電位信号を出力させる球検出器と、前記球検出器から出力される電位信号を受けて、前記通過部材の遊技球の通過の有無を判定する判定器と、前記球検出器の電位信号の出力端子部と前記判定器の電位信号の入力端子部とを接続して、前記球検出器から出力される前記電位信号を前記判定器に伝送する信号ラインと、所定の電気抵抗値を有した第1抵抗を介して前記信号ラインを接地接続させる接地ラインと、電源と前記信号ラインとを接続する電源供給ラインとを備えて構成される。その上で、前記電源供給ラインが前記信号ラインにおける前記球検出器に近接する位置において前記信号ラインに接続され、前記接地ラインが前記信号ラインにおける前記判定器に近接する位置において前記信号ラインに接続されている。
【００１４】
なお、この遊技球通過検出装置において前記第２抵抗が前記球検出器に内蔵されていても良い。
【００１５】
また、前記信号ラインが中間部においてコネクタ接続されており、前記電源供給ラインが前記コネクタ接続部より前記球検出器側において前記信号ラインに接続され、前記接地ラインが前記コネクタ接続部より前記判定器側において前記信号ラインに接続されているのが好ましい。
【００１６】
また、前記信号ラインの中間に中継基板が設けられ、前記信号ラインが前記球検出器と前記中継基板を繋ぐ第1信号ラインと、前記中継基板と前記判定器とを繋ぐ第２信号ラインとから構成され、前記電源供給ラインが前記第１信号ラインに接続され、前記接地ラインが前記第２信号ラインに接続されていても良い。
【発明の効果】
【００１７】
以上のように構成される第1の本発明に係る弾球遊技機によれば、電源供給ラインが判定器に近接する位置において信号ラインに接続され、接地ラインが球検出器に近接する位置において信号ラインに接続されているので、信号ラインの中間部において断線が発生した場合には、判定器に繋がる信号ラインは接地ラインとは遮断されて電源供給ラインと繋がる状態となり、判定器には高電位信号が伝達される状態が維持され、判定器により誤って球通過検出がなされることがない。なお、断線のない正常状態においては、球検出器により球通過検出がなされて低電位信号が出力されたときには、電源供給ラインに配置された第２抵抗の抵抗値は接地ラインに配置された第１抵抗の抵抗値より十分に大きいため、信号ラインの電位は低電位に保持され、判定器には低電位信号が入力されて正確に球通過検出が行われる。
【００１８】
なお、遊技機において信号ラインを不正に断線状態とする操作は、信号ラインのコネクタの着脱を不正に行うことによりなされるのが典型的なものであるため、信号ラインが中間部においてコネクタ接続されている場合には、電源供給ラインをコネクタ接続部より判定器側において信号ラインに接続し、接地ラインをコネクタ接続部より球検出器側において信号ラインに接続することにより、このような不正を防止できる。
【００１９】
同様に、信号ラインの中間に中継基板が設けられている場合には、中継基板の接続部すなわち接続コネクタに対して不正操作が行われることが典型的であるので、球検出器と中継基板を繋ぐ第1信号ラインに接地ラインを接続し、中継基板と判定器とを繋ぐ第２信号ラインに電源供給ラインを接続することにより、このような不正を防止できる。
【００２０】
また、上記構成の第２の本発明に係る弾球遊技機によれば、電源供給ラインが球検出器に近接する位置において信号ラインに接続され、接地ラインが判定器に近接する位置において信号ラインに接続されているので、信号ラインの中間部において断線が発生した場合には、判定器に繋がる信号ラインは接地ラインと繋がって電源供給ラインと遮断される状態となり、判定器には低電位信号が伝達される状態が維持され、判定器により誤って球通過検出がなされることがない。
【００２１】
なお、遊技機において信号ラインを不正に断線状態とする操作は、信号ラインのコネクタの着脱を不正に行うことによりなされるのが典型的なものであるため、信号ラインが中間部においてコネクタ接続されている場合には、電源供給ラインをコネクタ接続部より球検出器側において信号ラインに接続し、接地ラインをコネクタ接続部より判定器側において信号ラインに接続することにより、このような不正を防止できる。
【００２２】
同様に、信号ラインの中間に中継基板が設けられている場合には、中継基板の接続部すなわち接続コネクタに対して不正操作が行われることが典型的であるので、球検出器と中継基板を繋ぐ第１信号ラインに電源ラインを接続し、中継基板と判定器とを繋ぐ第２信号ラインに接地ラインを接続することにより、このような不正を防止できる。
【発明を実施するための最良の形態】
【００２３】
以下、本発明の好ましい実施形態について図面を参照して説明する。まず、図１〜図４を参照して本発明に係る遊技球通過検出装置を備えたパチンコ機（弾球遊技機）ＰＭの構成を説明する。なお、図１はパチンコ機ＰＭの正面図、図２はパチンコ機ＰＭの背面図、図３は裏セット盤３０を取り外して示すパチンコ機ＰＭの背面図、図４はパチンコ機ＰＭを構成する電気部品の電気的な接続関係を示すブロック図である。
【００２４】
パチンコ機ＰＭは、外郭方形状の外枠１と前枠２が、左側縁部に設けられたヒンジ機構３ａ，３ｂを介して開閉および着脱自在に連結され、右側縁部に設けられた施錠装置４を利用して外枠１に閉鎖された状態に保持される。前枠２の前面側には、透明板が取り付けられたガラス扉５と、遊技球を貯留して打球発射装置９に導く上球皿６とが、それぞれ横開き開閉および着脱可能に組み付けられ、前枠２の前面を覆った閉止状態に保持されている。前枠２の下部には遊技球を貯留する下球皿７が設けられ、下球皿７の前面側に遊技球の発射操作を行う操作ハンドル８が取り付けられおり、前枠２の裏面側には、スピーカ１７が取り付けられている。
【００２５】
前枠２の裏面上部において、前枠２と一体に成形された収容枠１１に遊技盤２０が複数の係合レバー１４により着脱可能に保持されている。遊技盤２０が収容枠１１に保持された状態で、遊技盤２０の前面と閉止状態にあるガラス扉５の透明板とが所定間隔をおいて対向し、前面側からガラス扉５の透明板を通して遊技盤２０を透視可能になる。収容枠１１の後縁部には、裏セット盤３０を横開き開閉および着脱可能に支持するための固定ヒンジ部材１２，１３が、上下に所定間隔をおいて締結されている。
【００２６】
遊技盤２０は、積層合板の表面に図柄が印刷されたセルを貼り付けた化粧板２１を基板とし、その前面には外レール２４ａおよび内レール２４ｂからなる案内レール２４が左下方から右上方に向けて略円弧状に延びて設けられており、案内レール２４で囲まれた内側に遊技領域ＰＡが区画される。
【００２７】
遊技領域ＰＡには、多数本の遊技釘、ランプ風車２５ａや一般風車２５ｂ等の風車２５、一般入賞具２６ａや始動具２６ｂやアタッカー２６ｃ等の入賞具２６、遊技の進行状況に応じて所定の画像を表示させる液晶パネル１８を有した画像表示装置２８が設けられている。遊技領域ＰＡの下端には、遊技領域ＰＡを落下した遊技球（アウト球）を遊技盤２０の裏面側に排出させるアウト口２７が化粧板２１を貫通して形成されている。一般入賞具２６ａおよびアタッカー２６ｃには、各々に対応して球検出器１１０が設けられており、始動具２６ｂにも同様の球検出器１１０が設けられている。これら入賞具２６に落入した遊技球（セーフ球）は、球検出器１１０により通過が検出され、化粧板２１を貫通するセーフ球通路（図示せず）を通って遊技盤２０の裏面側に排出される。
【００２８】
遊技盤２０の裏面側には、セーフ球を下方へ流下させるための球寄カバー５０が取り付けられている。球寄カバー５０は上部球寄カバー５２下部球寄カバー５１とから構成され、セーフ球は球寄カバー５０の内部に形成されたセーフ球流下経路を流下し、下部球寄カバー５１の下方に排出される。上部球寄カバー５２には、画像表示装置２８の画像表示制御を行う画像処理基板７１、遊技盤２０に取り付けられた各種遊技盤ランプ１６への点灯信号の中継を行うランプ中継基板７２、パチンコ機ＰＭの作動状態を遊技施設側に出力するための外部出力端子基板７４が着脱交換可能に取り付けられる。下部球寄カバー５１には、入賞口スイッチ９０からの検出信号や遊技盤２０に取り付けられた各種ソレノイドへの駆動信号の中継を行うスイッチ・ソレノイド中継基板１２０が着脱交換可能に取り付けられる。前枠２の裏面下部には、さらに、遊技球を外レール２４ａに向けて発射する打球発射装置９が取り付けられており、打球発射装置９および収容枠１１の間には、遊技補助盤１５が設けられている。
【００２９】
前枠２の背後には、裏セット盤３０が取り付けられる。裏セット盤３０は、外枠１の内寸より小さい方形状に形成されており、中央に遊技盤２０から突出する画像処理基板７１を受容する窓口が形成された基枠体３１をベースに構成される。基枠体３１の側縁部には、上下に所定間隔をおいて揺動ヒンジ部材３２，３３が固定されている。この揺動ヒンジ部材３２，３３と収容枠１１側の固定ヒンジ部材１２，１３とが連結され、裏セット盤３０が前枠２の背後に横開き開閉および着脱可能に設けられる。また、側縁部の上下に設けられた閉鎖レバー３４を利用し、前枠２の背面を覆う閉鎖状態に保持されている。
【００３０】
基枠体３１の裏面側には、遊技球を貯留するタンク部材４１、タンク部材４１からの遊技球を整列させて流下させる整列樋部材４２、整列樋部材４２からの遊技球を待機させる賞球待機通路４３、賞球待機通路４３に待機された遊技球を所定の入賞条件等に基づいて払い出す賞球払出装置４５、賞球払出装置４５から払い出された遊技球を上下の球皿６，７に導く賞球払出経路４７等からなる賞球装置および賞球経路が、窓口を取り囲むように設けられている。さらに、基枠体３１の前面側には、窓口の下方に位置して遊技盤２０の裏面側に排出されたアウト球およびセーフ球や、球抜き機構によって賞球通路から排出された遊技球等を集合させる集合通路が形成されており、基枠体３１の裏面側には、この集合通路と繋がって集合された遊技球を遊技施設側の回収バケットに排出させる球排出経路が形成されている。
【００３１】
裏セット盤３０の裏面には、パチンコ機ＰＭの作動を統括的に制御する主制御基板１３０、この主制御基板１３０からの指令信号に基づいて賞球払出装置４５の作動制御を行う賞球制御基板８３、打球発射装置９の作動制御を行う発射制御基板８４、照明効果および効果音の作動制御を行うサブ制御基板８５、これらの制御基板や各種電子機器等に電力を供給する電源基板８６、電源基板８６から供給される電力の中継を行う電源中継基板８７等の回路基板が着脱交換可能に取り付けられている。
【００３２】
各回路基板にはコネクタが実装されており、これらコネクタにハーネス（電気配線）が接続されることにより、回路基板間の電気的な接続や、回路基板と球検出器１１０等の電子機器との間の電気的な接続が行われてパチンコ機ＰＭが構成される。なお、回路基板や電子機器等の電気部品間の電気的な接続は、図４に示すような構成になっている。
【００３３】
パチンコ機ＰＭは、ガラス扉５、上球皿６、裏セット盤３０が閉止状態に保持され、前枠２が外枠２に閉鎖された状態に保持されて遊技に供される。遊技は、遊技球が上球皿６に貯留された状態で操作ハンドル８が回動操作されて開始する。遊技が開始されると、上球皿６に貯留された遊技球は、打球発射装置９に向けて１列に並んで流下し、操作ハンドル８の回動操作角度に応じた強度で１球ずつ打球発射装置９に叩打され、案内レール２４により遊技領域ＰＡの上方に導かれ、遊技釘に弾かれながら遊技領域ＰＡを落下する。
【００３４】
遊技球が一般入賞具２６ａやアタッカー２６ｃの入賞口２９を通過すると、球検出スイッチ１１０からの検出信号がスイッチ・ソレノイド中継基板１２０を介して主制御基板１３０に出力され、この検出信号に基づいて主制御基板１３０内の判定器１３１により入賞具２６への球の入賞（球の通過）を判定し、この判定に基づいて主制御基板１３０から賞球払出を行わせる指令信号が賞球制御基板８３に出力され、この指令信号に基づいて賞球払出装置４５の作動制御が行われ、賞球装置および賞球経路を介して上下の球皿６，７に所定数量の賞球が払い出される。
【００３５】
このように球検出スイッチ１１０からの検出信号をスイッチ・ソレノイド中継基板１２０を介して主制御基板１３０の判定器１３１に送出して入賞具２６への球の入賞（球の通過）を判定する構成が、本発明の遊技球通過検出装置に該当し、この構成について以下に説明する。
【００３６】
第1実施例
図５に第1実施例としての遊技球通過検出装置の電気回路構成を示している。この装置は、図９に示した従来の装置と構成が類似するため、同一機能部品については同一番号を付して説明する。
【００３７】
この遊技球通過検出装置は、入賞具の入賞口に設けられる球検出器１１０を備える。球検出器１１０は第１電源供給ライン１０１を介して電源１００（例えば、＋１２Ｖの電圧を有する）に繋がるとともにその出力端子１１０ｂが第1信号ライン１０２に繋がっており、入賞口に入り込んだ遊技球が通過する球通過孔１１０ａを有している。球検出器１１０は、公知の高周波発振型の近接スイッチから構成され、貫通孔の外周部分に設けられたコイルに検出回路を接続して構成される。コイルは鋼製の遊技球が球通過孔１１０ａを近接あるいは離反することによりインピーダンスが変化するので、これを検出回路により検出し、球通過検出が無いときには電源１００からの高電位信号を出力端子１１０ｂから第1信号ライン１０２に出力し、入賞口に入った遊技球が球通過孔１１０ａを通過するときに電源からの電圧を低下させて出力端子１１０ｂから第1信号ライン１０２に低電位信号を出力する。
【００３８】
第1信号ライン１０２は第1コネクタ１０３を介してスイッチ・ソレノイド中継基板１２０（以下の説明においては、これを単に中継基板１２０と称する）に繋がり、中継基板１２０内の第１内部信号ライン１２１から第２コネクタ１０５を介して第２信号ライン１０４に繋がる。第２信号ライン１０４は第３コネクタ１０６および第２内部信号ライン１３２を介して主制御基板１０３内の判定器１３１に繋がる。中継基板１２０内には、抵抗１２６およびコンデンサ１２７からなる安定回路１２５が設けられている。
【００３９】
第1信号ライン１０２には第１抵抗１１５（例えば、抵抗値７５０Ω）を有して接地接続された接地ライン１１６が繋がっている。また、主制御基板１０３内においては、非常に大きな抵抗値（例えば、１ＭΩ）を有した第２抵抗１３６が配設された第２電源供給ライン１３７を介して、電源１３５（例えば、＋１２Ｖの電圧電源）と第２内部信号ライン１３２とが接続されている。なお、この第２電源供給ライン１３７が請求項１の電源供給ラインに該当する。
【００４０】
このように構成された遊技球検出装置において、球検出器１１０の球通過孔１１０ａを球が通過していない状態では、出力端子１１０ｂから高電位信号が出力される。この高電位信号は、第１抵抗１１５のために接地ライン１１６を介して若干の電圧低下はあるものの、第1信号ライン１０２、第１内部信号ライン１２１、第２信号ライン１０４および第２内部信号ライン１３２を介して判定器１３１に伝送される。判定器１３１はこの高電位信号を受けている間は、球検出器１１０の球通過光１１０ａを球が通過していないと判断する。このとき、第２電源供給ライン１３７を介して電源１３５から電力供給がなされるが、判定器１３１への入力信号は高電位信号であり、影響はない。
【００４１】
一方、球検出器１１０の球通過孔１１０ａを球が通過したときには、出力端子１１０ｂから低電位信号が出力され、第1信号ライン１０２、第１内部信号ライン１２１、第２信号ライン１０４および第２内部信号ライン１３２が低電位状態となる。この状態でも、第２電源供給ライン１３７を介して電源１３５から電力供給がなされるのであるが、第２電源供給ライン１３７に設けられている第２抵抗１３６の抵抗値は、接地ライン１１６に設けられている第１抵抗１１５の抵抗値に比べて十分に大きい（例えば、一千倍以上大きい）ため、これら信号ライン１０２，１２１，１０４，１３２の電位は低電位に維持される。このため、判定器１３１には低電位信号が送られて判定器１３１は球通過、すなわち、入賞具への遊技球の入賞があったと判断する。
【００４２】
このときの判定器１３１への入力電位信号レベルの変化を図６に示しており、球検出器１１０の球通過孔１１０ａを球が通過していないとき（ｔ１〜ｔ２の間およびｔ３〜ｔ４の間）においては、入力電位信号は電源電圧Ｖ０（＝＋１２Ｖ）より若干低い電圧Ｖ１の高電位信号α１１となり、球が球通過孔１１０ａを通過するとき（ｔ２〜ｔ３の間）においては、入力電位信号はグラウンド電圧（＝０Ｖ）より若干高い電圧レベルＶ２の低電位信号α１２となる。
【００４３】
次に、第１コネクタ１０３、第２コネクタ１０５が外れる等して、球検出器１１０の出力端子１１０ｂから主制御基板１３０（の第３コネクタ１０６）に至る信号ラインが断線した場合について説明する。このような断線が発生すると、信号ライン側には電気が流れることができなくなるため、第２電源供給ライン１３７を介して電源１３５からの電圧供給がなされ、判定器１３１にはほぼ電源１３５の電圧が入力されるので、判定器１３１は球通過が無いと判定する。このときの判定器１３１への入力電位信号レベルの変化を図６に示しており、時間ｔ４〜ｔ５において断線が発生しており、判定器１３１にはほぼ電源電圧Ｖ０（＝＋１２Ｖ）と同一電圧の信号が入力する。
【００４４】
以上の説明から分かるように、信号ラインの途中のコネクタを外す等の不正が行われても判定回路１３１は球通過と判定することがなく、このような不正操作により不正に賞球払出が行われるようなことを防止できる。なお、図５に示す本発明に係る回路構成と、図９に示す従来の回路構成とを比較すれば分かるように、本発明においては、第２電源供給ライン１３７を追加するとともに、第２電源供給ライン１３７および接地ライン１１６の接続箇所を限定するだけであり、安価且つ簡単な構成で本発明の遊技球通過検出装置を構成することができ、且つ不正操作を確実に防止することができる。
【００４５】
なお、以上の構成および作用から分かるように、第２電源供給ライン１３７は断線が発生する箇所より判定器１３１の側に接続されていれば良く、接地ライン１１６は断線が発生する箇所より球検出器１１０の側に接続されていれば良い。例えば、第１および第２コネクタ１０３，１０５の不正着脱による不正操作を防止するには、第２電源供給ライン１３７を第２信号ライン１０４もしくは第２内部信号ライン１３２に接続し、接地ライン１１６を第１信号ライン１０２に接続すれば良い。
【００４６】
第２実施例
図７に第２実施例としての遊技球通過検出装置の電気回路構成を示している。この装置においても、上記第１実施例および図９に示した従来の装置と同一の機能部品については同一番号を付して説明する。
【００４７】
この遊技球通過検出装置は、入賞具の入賞口に設けられる球検出器１５０を備える。球検出器１５０は入賞口に入り込んだ遊技球が通過する球通過孔１５０ａを有し、アースライン１１１を介して接地接続され、出力端子１５０ｂは第１信号ライン１０２と繋がっている。この球検出器１５０も、公知の高周波発振型の近接スイッチから構成され、球通過検出が無いときには出力端子１５０ｂをアースライン１１１側に繋げて、低電位信号を出力端子１５０ｂから第1信号ライン１０２に出力する。
【００４８】
一方、入賞口に入った遊技球が球通過孔１５０ａを通過するときには、出力端子１５０ｂに繋がる内部信号ラインを電気的に切断するようになっている。ここで、第１信号ライン１０２には電源１４０に抵抗１４１を介して繋がる電源ライン１４２が繋がっており、通常は第１信号ライン１０２の電位は電源ライン１４２を介して電源１４０からの電圧供給を受けて高電位となる、すなわち、出力端子１５０ｂから第１信号ライン１０２に高電位信号が出力されることとなる。
【００４９】
第1信号ライン１０２は第1コネクタ１０３を介して中継基板１２０に繋がり、中継基板１２０内の第１内部信号ライン１２１から第２コネクタ１０５を介して第２信号ライン１０４に繋がる。第２信号ライン１０４は第３コネクタ１０６および第２内部信号ライン１３２を介して主制御基板１０３内の判定器１３１に繋がる。中継基板１２０内には抵抗１２６およびコンデンサ１２７からなる安定回路１２５が設けられている。さらに、第２信号ライン１０４には抵抗１１７を有して接地接続された接地ライン１１８が繋がっている。
【００５０】
このように構成された遊技球検出装置において、球検出器１５０の球通過孔１５０ａを球が通過していない状態では、上述のように出力端子１５０ｂから第１信号ライン１０２に低電位信号が出力される。この低電位信号は、第1信号ライン１０２、第１内部信号ライン１２１、第２信号ライン１０４および第２内部信号ライン１３２を介して判定器１３１に伝送される。判定器１３１はこの低電位信号を受けている間は、球検出器１５０の球通過光１５０ａを球が通過していないと判断する。
【００５１】
一方、球検出器１５０の球通過孔１５０ａを球が通過したときには、出力端子１５０ｂに繋がる内部信号ラインが電気的に切断され、第１信号ライン１０２の電位は電源ライン１４２を介して電源１４０からの電圧供給を受けて高電位となるので、出力端子１５０ｂから高電位信号が出力される状態となる。この高電位信号は、抵抗１１７のために接地ライン１１８を介して電圧低下はあるものの、第１および第２信号ライン１０２，１０４および内部信号ライン１２１，１３２を介して判定器１３１に伝送される。判定器１３１はこの高電位信号を受けたとき、球検出器１５０の球通過光１５０ａを球が通過したと判断する。なお、接地ライン１１８による電圧低下を抑えるため、電源ライン１４２の抵抗１４１の抵抗値は接地ライン１１８の抵抗１１７の抵抗値より小さく設定される。
【００５２】
このときの判定器１３１への入力電位信号レベルの変化を図８に示しており、球検出器１５０の球通過孔１５０ａを球が通過していないとき（ｔ１１〜ｔ１２の間およびｔ１３〜ｔ１４の間）においては、入力電位信号はグラウンド電圧（＝０Ｖ）より若干高い電圧Ｖ２の低電位信号α２１となり、球が球通過孔１５０ａを通過するとき（ｔ１２〜ｔ１３の間）においては、入力電位信号は電源電圧（＝＋１２Ｖ）より若干低い電圧Ｖ１の高電位信号α２２となる。
【００５３】
次に、第１コネクタ１０３、第２コネクタ１０５が外れる等して、球検出器１１０の出力端子１５０ｂから主制御基板１３０（の第３コネクタ１０６）に至る信号ラインが断線した場合について説明する。このような断線が発生すると、電源供給ライン１４２から第１信号ライン１０２に流れる電流が判定器１３１側に流れることができなくなり、判定器１３１は第２内部信号ライン１３２および第２信号ライン１０４から接地ライン１１８を介して接地接続され、判定器１３１には低電位信号が入力されるので、判定器１３１は球通過が無いと判定する。このときの判定器１３１への入力電位信号レベルの変化を図８に示しており、時間ｔ１４〜ｔ１５において断線が発生しており、判定器１３１にはほぼグラウンドレベルの低電位の電圧信号α２３が入力する。
【００５４】
以上の説明から分かるように、第２実施例の場合にも、信号ラインの途中のコネクタを外す等の不正が行われても判定回路１３１は球通過と判定することがなく、このような不正操作により不正に賞球払出が行われるようなことを防止できる。
【００５５】
なお、以上の構成および作用から分かるように、電源供給ライン１４２は断線が発生する箇所より球検出器１５０の側に接続されていれば良く、接地ライン１１８は断線が発生する箇所より判定器１３１の側に接続されていれば良い。例えば、第１および第２コネクタ１０３，１０５の不正着脱による不正操作を防止するには、電源供給ライン１４２を第１信号ライン１０２に接続し、接地ライン１１８を第２信号ライン１０４に接続すれば良い。なお、電源供給ライン１４２の抵抗１４１を球検出器１５０に内蔵しても良い。
【図面の簡単な説明】
【００５６】
【図１】本発明に係る弾球遊技機の一例として示すパチンコ機の正面図である。
【図２】上記パチンコ機の背面図である。
【図３】裏セット盤を取り外した状態の上記パチンコ機の背面図である。
【図４】上記パチンコ機を構成する電気部品の電気的な接続を示す回路ブロック図である。
【図５】第１実施例に係る遊技球通過検出装置の構成を示す電気回路図である。
【図６】この第１実施例に係る遊技球通過検出装置における判定器への入力信号変化を示すグラフである。
【図７】第２実施例に係る遊技球通過検出装置の構成を示す電気回路図である。
【図８】この第２実施例に係る遊技球通過検出装置における判定器への入力信号変化を示すグラフである。
【図９】従来の遊技球通過検出装置の構成を示す電気回路図である。
【符号の説明】
【００５７】
ＰＭ  パチンコ機
９  打球発射装置
２０  遊技盤
２６  入賞具
３０  裏セット盤
４５  賞球払出装置
８３  賞球制御基板
１００，１３５  電源
１０１  第１電源供給ライン
１０２  第１信号ライン
１０３  第１コネクタ
１０４  第２信号ライン
１０５  第２コネクタ
１０６  第３コネクタ
１１０，１５０  球検出器
１１０ａ，１５０ａ  球通過孔
１１０ｂ，１５０ｂ  出力端子
１１１  アースライン
１１５  第１抵抗
１１６  接地ライン
１１７  抵抗
１１８  接地ライン
１２０  スイッチ・ソレノイド中継基板
１２１  第１内部信号ライン
１２５  安定回路
１３０  主制御基板
１３１  判定器
１３６  第２抵抗
１３７  第２電源供給ライン
１４０  電源
１４１  抵抗
１４２  電源ライン
【図１】
2007260049.tif 000003
【図２】
2007260049.tif 000004
【図３】
2007260049.tif 000005
【図４】
2007260049.tif 000006
【図５】
2007260049.tif 000007
【図６】
2007260049.tif 000008
【図７】
2007260049.tif 000009
【図８】
2007260049.tif 000010
【図９】
2007260049.tif 000011